(57)【要約】第１の取付けリング（３４０）および第２の取付けリング（３６０）を、固定ネジ（３４７、３６７）を用いて無線機ケース（２００）に固定する。第１の取付けリング（３４０）および第２の取付けリング（３６０）を、計量表示部（１０４）の上から嵌め込み、共通する取付けボルト（３０１）を通して、共に締め付ける。これにより、無線機をメータから独立させると共に、メータに容易に取り付けることができる。
2010098122.tif 000002
【特許請求の範囲】
【請求項１】
メータの筒体部に上から嵌め込む、第１の取付けリングおよび第２の取付けリングを有し、
前記第１の取付けリングおよび前記第２の取付けリングは、それぞれ、固定ネジ孔を有し、
前記第１の取付けリングおよび前記第２の取付けリングは、それぞれ、取付けボルト孔を有し、
前記第１の取付けリングおよび前記第２の取付けリングの前記固定ネジ孔に、それぞれ固定ネジを用いて、無線機ケースを固定し、
前記第１の取付けリングおよび前記第２の取付けリングの前記取付けボルト孔に、共通する取付けボルトを通して、前記第１の取付けリングおよび前記第２の取付けリングを共に締め付けることにより、前記無線機ケースを前記メータに固定する無線機ケース取付け具。
【発明の詳細な説明】
【技術分野】
【０００１】
本発明は、検針値を送信する無線機を内蔵した無線機ケースを、メータに取り付けるための、無線機ケース取付け具に関する。
【背景技術】
【０００２】
水道メータやガスメータには、無線機を備え、検針値を無線送信するものがある。特許文献１に開示されたメータは、メータ筐体の内部に、無線機を有する。メータにより検針された検針値は、無線機によって外部に送信される。これにより、メータから離れた場所であっても、無線を利用して、検針値を収集することができる。また、複数のメータからの検針値を、一括して収集することもできる。【０００３】
しかしながら、上記従来のメータは、メータ筐体の内部に無線機を備える。一方、メータは、湿度の高い環境に設置されることが多い。このため、メータは、メータの内部を通る水またはガスの温度と、環境温度との差により、結露が生じ易い。つまり、従来のメータの無線機は、結露水等の水分の影響により、電子回路の誤動作や、無線性能の劣化、絶縁性能の劣化などが生じると言う課題を有する。
【先行技術文献】
【特許文献】
【０００４】
【特許文献１】特開平１１−８６１７４号公報
【発明の概要】
【０００５】
本発明は上記の課題を解決するもので、結露水等の水分の影響を受けずに、無線機を内蔵した無線機ケースを、メータに容易に取り付けることができる無線機ケース取付け具を提供する。
【０００６】
本発明の無線機ケース取付け具は、メータの筒体部に上から嵌め込む、第１の取付けリングおよび第２の取付けリングを有する。さらに、本発明の無線機ケース取付け具は、第１の取付けリングおよび第２の取付けリングは、それぞれ、固定ネジ孔を有し、また、第１の取付けリングおよび第２の取付けリングは、それぞれ、取付けボルト孔を有する。さらに、本発明の無線機ケース取付け具は、第１の取付けリングおよび第２の取付けリングの固定ネジ孔に、それぞれ固定ネジを用いて、無線機ケースを固定する。さらに、本発明の無線機ケース取付け具は、第１の取付けリングおよび第２の取付けリングの取付けボルト孔に、共通する取付けボルトを通して、第１の取付けリングおよび第２の取付けリングを共に締め付けることにより、無線機ケースをメータに固定する。
【０００７】
かかる構成により、無線機ケースは、メータに容易に取り付けられる。これにより、無線機はメータから独立し、メータの結露水等の水分の影響による、無線機の誤動作や性能劣化が防止される。
【図面の簡単な説明】
【０００８】
【図１】図１は、本発明の実施の形態１における無線機ケース取付け具を用いた水道メータの斜視図である。
【図２】図２は、同実施の形態における無線機ケース取付け具を用いた水道メータの分解斜視図である。
【図３】図３は、同実施の形態における無線機ケースの分解斜視図である。
【図４】図４は、同実施の形態における無線機ケースと第１の取付けリングとの斜視図である。
【図５】図５は、同実施の形態における第１の取付けリングの斜視図である。
【図６】図６は、同実施の形態における第１の取付けリングの側面図である。
【図７】図７は、同実施の形態における無線機ケースと第１および第２の取付けリングとの斜視図である。
【図８】図８は、同実施の形態における無線機ケースと第１および第２の取付けリングとを、他の方向から見た斜視図である。
【図９】図９は、同実施の形態における第１および第２の取付けリングの側面図である。
【図１０】図１０は、同実施の形態における水道メータの分解斜視図である。
【図１１】図１１は、同実施の形態における水道メータの斜視図である。
【図１２】図１２は、同実施の形態における水道メータの別な分解斜視図である。
【図１３】図１３は、同実施の形態における検針値を収集する状況を説明するための説明図である。
【図１４】図１４は、同実施の形態における検針値を収集する状況を説明するための別な説明図である。
【図１５】図１５は、同実施の形態における無線機ケースを壁に取り付ける構成を示す斜視図である。
【図１６】図１６は、同実施の形態における無線機ケースを壁に取り付けた状態を示す斜視図である。
【発明を実施するための形態】
【０００９】
（実施の形態１）
図１は、本発明の実施の形態１における無線機ケース取付け具により無線機ケースを水道メータ本体に取り付けた、水道メータの斜視図である。図２は、本発明の実施の形態１における無線機ケース取付け具により無線機ケースを水道メータ本体に取り付ける構成を示す水道メータの分解斜視図である。なお、本実施の形態では、メータとして、水道メータを例に挙げるが、水道メータに限らず、ガスメータや電力メータなどの計測メータにも適用できる。
【００１０】
水道メータ１００は、水道メータ本体１２０と、無線機ケース２００と、無線機ケース取付け具３００とを有する。無線機ケース２００は、無線機ケース取付け具３００により、水道メータ本体１２０に取り付けられる。
【００１１】
水道メータ本体１２０は、入水口１０１と、出水口１０２と、計量部１０３と、計量表示部１０４とを有する。入水口１０１から入った水は、計量部１０３を通り、出水口１０２から出る。計量部１０３は、通った水の水量を計量する。計量された水量は、計量表示部１０４に表示される。この、表示された計量値を検針値と言う。
【００１２】
無線機ケース２００は、後述する無線機を内蔵する。無線機は、計量部１０３により計量された検針値を、無線電波を用いて、外部に送信する。
【００１３】
無線機ケース取付け具３００は、第１の取付けリング３４０および、第２の取付けリング３６０からなる。無線機ケース２００は、固定ネジ３４７、３６７により、それぞれ、第１の取付けリング３４０、第２の取付けリング３６０に固定される。第１の取付けリング３４０および、第２の取付けリング３６０は、水道メータ１００の筒体部である計量表示部１０４に、上から嵌め込まれる。第１の取付けリング３４０および、第２の取付けリング３６０は、後述するように、１本の取付けボルト３０１により、筒体部である計量表示部１０４に、上から嵌め込まれた状態で、締め付けられ、取り付けられる。
【００１４】
このようにして、無線機ケース取付け具３００を用いて、無線機ケース２００が、水道メータ本体１２０に、容易に、間接的に取り付けられる。なお、無線機ケース取付け具３００の、第２の取付けリング３６０には、計量表示部１０４の上面を開閉する、表示部フタ３８０が取り付けられる。
【００１５】
無線機ケース２００は、無線機ケース取付け部３００の、第１の取付けリング３４０と第２の取付けリング３６０や、表示部フタ３８０と共に、水道メータとして一体的にデザインされている。一方、無線機ケース２００は、無線中継機として単独で使用される場合も考慮した形状や構成を持つ。また、無線機ケース２００の内部の無線機と、水道メータ１００の計量部１０３とは、データ送信線１０５の先端にあるコネクタ１０６を介して、電気的に接合される。これにより、計量部１０３で計量された検針値が、無線機により、後述するデータ収集端末機に無線送信される。
【００１６】
図３は、無線機ケース２００の内部の構成を示す分解斜視図である。無線機ケース２００は、上ケース２０１と下ケース２０２とからなり、内部に無線機２１０を備える。また、上ケース２０１および下ケース２０２は、電波が透過する材料、例えば樹脂からなる。無線機２１０は、電子基板２１６、無線電波送受信用のアンテナ２１１、電池２２０、データ送信線１０５（図２）のコネクター１０６（図２）を接続するコネクター受け２１２などを備える。これらを用いて、無線機２１０は、無線電波により、検針値を送受信する。
【００１７】
無線機２１０は、上ケース２０１に挿入された後、基板支え２１３とネジ２１７を用いて、上ケース２０１に固定される。その後、上ケース２０１と下ケース２０２とが、ケース用ネジ２０５により固定される。上ケース２０１と下ケース２０２は、ケース用ネジ２０５により固定されるため、必要に応じて開閉することができる。なお、下ケース２０２には、防水フランジ２０４が設けられる。防水フランジ２０４は、上ケース２０１と下ケース２０２との合わせ面に位置する。これにより、無線機ケース２００の内部へ、水が浸入することを防止することができる。
【００１８】
次に、第１の取付けリング３４０について詳細に説明する。図４は、無線機ケース２００と第１の取付けリング３４０との斜視図である。図５は、第１の取付けリング３４０の斜視図である。
【００１９】
第１の取付けリング３４０は、樹脂からなる。第１の取付けリング３４０は、スリット３４２を有するボルト締付け部３４１を備える。これにより、第１の取付けリング３４０は、内側から外側に向けて力を加えると、内径が広がるように、弾性変形する。
【００２０】
無線機ケース２００は、上ケース２０１の背面に、固定ネジ用ボス２３１と、２本の位置決めピン２３２とを有する。第１の取付けリング３４０には、固定ネジ用ボス２３１と嵌合するように、固定ネジ孔３４３が設けられる。また、第１の取付けリング３４０に設けた、２個の位置決め穴３４４と、２本の位置決めピン２３２とが嵌合することにより、無線機ケース２００と、第１の取付けリング３４０との取り付け位置が決まる。
【００２１】
この状態で、固定ネジ３４７により、無線機ケース２００と、第１の取付けリング３４０とが固定される。固定ネジ３４７の締め付けは、ドライバーなどの棒状の工具で行う。この場合、第１の取付けリング３４０のスリット３４２を内側から外側に押し広げることにより、ドライバーなどの棒状の工具を挿入し、固定ネジ３４７を締め付けることができる。
【００２２】
また、固定ネジ孔３４３と、位置決め穴３４４とは、図６の側面図に示すように、それぞれの中心をずらし、オフセットして配置される。これにより、第１の取付けリング３４０が、上下逆に取りつけられることを防止することができる。
【００２３】
次に、第２の取付けリング３６０について詳細に説明する。図７は、無線機ケース２００と第１および第２の取付けリング３４０、３６０との斜視図である。図８は、図７を逆側から見た、無線機ケース２００と第１および第２の取付けリング３４０、３６０との斜視図である。第２の取付けリング３６０は、第１の取付けリング３４０と同様に、樹脂からなる。
【００２４】
無線機ケース２００は、上ケース２０１の背面に、固定ネジ用ボス２１４と、２本の位置決めピン２１５とを有する。第２の取付けリング３６０には、固定ネジ用ボス２１４と嵌合するように、固定ネジ孔３６１が設けられる。また、第２の取付けリング３６０に設けた、２個の位置決め穴３６２と、２本の位置決めピン２１５とが嵌合することにより、無線機ケース２００と、第２の取付けリング３６０との取り付け位置が決まる。
【００２５】
この状態で、固定ネジ３６７により、無線機ケース２００と、第２の取付けリング３６０とが固定される。固定ネジ３６７の締め付けは、ドライバーなどの棒状の工具で行う。この場合、第２の取付けリング３６０の側面に設けた工具孔３６６から、ドライバーなどの棒状の工具を挿入し、固定ネジ３６７を締め付けることができる。
【００２６】
ここで、第１の取付けリング３４０と第２の取付けリング３６０との結合について説明する。第１の取付けリング３４０のボルト締付け部３４１のスリット３４２は、押し広げられることにより、第２の取付けリング３６０の共締め固定部３６３が嵌め合わされる。これにより、ボルト締付け部３４１の取付けボルト孔３４５と、共締め固定部３６３の取付けボルト孔３６４とが、同軸になる。従って、同軸となった取付けボルト孔３４５、３６４に、１本の取付けボルト３０１（図２）を通すことにより、第１の取付けリング３４０と第２の取付けリング３６０とが結合される。図２においては、取付けボルト３０１および取付けナット３０２を用いて、締め付けが行われる。一方、取付けボルト孔３４５の内部に雌ネジを形成すれば、取り付けナット３０２の代わりに締め付けが行われる。
【００２７】
これにより、取付けボルト３０１の締め付けにより、第１の取付けリング３４０および第２の取付けリング３６０（すなわち無線機ケース取付け具３００）が、水道メータ本体１２０の筒体部である計量表示部１０４に、締め付け、固定される。つまり、無線機ケース２００が、水道メータ本体１２０に、容易に、間接的に取り付けられる。
【００２８】
また、第１の取付けリング３４０の上面には、リング溝３４６が設けられる。第２の取付けリング３６０の下面には、リング突起３６５が設けられる。リング溝３４６とリング突起３６５とが嵌合することにより、第１の取付けリング３４０と第２の取付けリング３６０との中心が揃う。
【００２９】
また、図９の側面図に示すように、第１の取付けリング３４０の２本の位置決め穴３４４の間隔Ａは、第２の取付けリング３６０の２本の位置決め穴３６２の間隔Ｂと異なる。図９においては、第１の取付けリング３４０の２本の位置決め穴３４４の間隔Ａの方が短い。これにより、第１の取付けリング３４０と第２の取付けリング３６０とが、無線機ケース２００に誤った位置に取り付くことが防止される。
【００３０】
図１０は、無線機ケース２００を、第１の取付けリング３４０および第２の取付けリング３６０（すなわち無線機ケース取付け具３００）を用いて、水道メータ本体１２０へ固定する構成を示す水道メータ１００の分解斜視図である。水道メータ本体１２０の筒体部である計量表示部１０４の下部には、フランジ１０７、１０８が設けられる。第１の取付けリング３４０は、スリット３４２を内側から押し広げられながら、フランジ１０７、１０８を挟み込むように、上方から嵌め込まれる。なお、第１の取付けリング３４０の内側には、フランジ１０７、１０８と嵌合する固定溝（図示せず）が設けられる。その後、取付けボルト３０１を用いて、無線機ケース２００が、水道メータ本体１２０に取り付けられることは前述の通りである。
【００３１】
次に、表示部フタ３８０について説明する。図１１は、表示部フタ３８０の取り付け構成を示す水道メータ１００の斜視図である。表示部フタ３８０は、樹脂からなる。表示部フタ３８０は、端部下面に、軸受け３８１を有する。軸受け３８１は、第２の取付けリング３６０の軸３６７に勘合する。これにより、表示部フタ３８０は、計量表示部１０４に対して、開閉可能となる。
【００３２】
次に、計量部１０３と無線機２１０との電気配線について説明する。図１２は、電気配線の状態を示す、水道メータ１００の分解斜視図である。
【００３３】
無線機ケース２００を、無線機ケース取付け具３００を用いて、水道メータ本体１２０に取り付けた状態で、２本のケース用ネジ２０５を緩めることにより、下ケース２０２が、上ケース２０１から分離される。この状態では、無線機２１０のコネクター受け２１２が露出する。ここで、水道メータ本体１２０の計量部１０３から伸びるデータ送信線１０５のコネクター１０６を、コネクター受け２１２に接続する。これにより、計量部１０３で計量された水量の検針値が、計量表示部１０４で電気信号に変換され、データ送信線１０５を通じて無線機２１０に送られる。無線機２１０は、検針値を、後述するデータ収集端末機７０２からの発呼に応じて、無線送信する。
【００３４】
なお、データ送信線１０５は、上ケース２０１の切欠き部２０３を通して、無線機２１０に接続される。切欠き部２０３は、コネクター受け２１２よりも下方に位置する。これにより、水道メータ本体１２０からの水分が、データ送信線１０５の表面を伝わって、無線機ケース２００の内部に侵入した場合であっても、水分が、コネクター受け２１２や電子基板２１６に滞留することが防止される。
【００３５】
従って、無線機２１０を水道メータ本体１２０から独立させることにより、水分の影響を受けないようにすることに加え、水分が無線機ケース２００の内部に侵入した場合であっても、水分が無線機２１０には到達しない構成となる。これにより、電子回路の誤動作や、無線性能の劣化、絶縁性能の劣化を防止することができる。
【００３６】
ここで、本実施の形態の無線機ケース取付け具３００を用いた水道メータ１００による、検針値の収集方法について説明する。図１３および図１４は、検針値を収集する状況を説明するための説明図である。
【００３７】
高層集合住宅７００には、各家庭別に水道メータ１００が設置される。図１３および図１４においては、全ての家庭の水道メータ１００は図示せず、一部の水道メータ１００を図示する。各水道メータ１００は、本実施の形態の無線機ケース取付け具３００を用いて取り付けられた無線機ケース２００を有する。無線機ケース２００には、無線機２１０が内蔵される。
【００３８】
ここで、各家庭での水道の使用量である検針値を収集する検針員７０１は、データ収集端末機７０２を発呼することにより、無線機２１０に対して、検針値の送信を命じる。発呼を受けた各無線機２１０は、データ収集端末機７０２に対して、検針値を無線送信する。このようにして、検針員７０１は、各家庭の水道メータ１００の検針値を収集する。つまり、検針員７０１は、各家庭の水道メータ１００まで行って、計量表示部１０４の検針値を見る必要がない。なお、このような無線通信による検針システムを、一括無線検針システムと言う。
【００３９】
一方、図１４に示すように、例えば２０階を越えるような高層集合住宅７００の上層階は、地上より数十メートル以上の高さとなる。つまり、水道メータ１００の無線機２１０と、データ収集端末機７０２との距離が長くなる。この場合、地上にいる検針員７０１が持つデータ収集端末機７０２では、無線電波の強度が落ちるため、無線機２１０とデータ収集端末機７０２との間で電波が届かない。
【００４０】
この場合、無線中継機６００を設置することにより、無線機２１０とデータ収集端末機７０２との間で無線電波が中継される。無線中継機６００は、地上と上層階との間の中層階に設けられる。図１４に示すように、複数回の無線中継を行うために、必要に応じて、複数台の無線中継機６００を設けることができる。これにより、地上から距離が長く、無線電波が届きにくい上層階であっても、無線中継機６００により無線電波が中継されるため、検針員７０１は、地上から検針値の収集を行うことができる。
【００４１】
ここで、無線中継機６００は、無線電波により検針値等のデータ信号を送受信するものであり、水道メータ１００の無線機２１０をそのまま転用することができる。無線機２１０は、防水構造を有する無線機ケース２００に内蔵されるため、無線機ケース２００と共に、無線機２１０を、無線中継機６００として転用することができる。これにより、無線中継機６００（つまり無線機２１０を内蔵した無線機ケース２００）を、屋内だけでなく、そのまま建築物の外壁にも設置することができる。
【００４２】
次に、無線機ケース２００を壁に取り付ける場合について説明する。図１５は、無線機ケース２００を壁に取り付ける構成を示す斜視図である。図１６は、無線機ケース２００を壁に取り付けた状態を示す斜視図である。
【００４３】
無線機ケース２００は、壁取付け板４００を介して、壁に取り付けられる。壁取付け板４００の前面には、固定ネジ孔４０１、４０３および、各２個の位置決め穴４０２、４０４が設けられる。固定ネジ孔４０１の形状は、第１の取付けリング３４０の固定ネジ孔３４３と同じである。また、２個の位置決め穴４０２の形状および間隔は、第１の取付けリング３４０の２個の位置決め穴３４４の形状および間隔と同じである。同様に、固定ネジ孔４０３の形状は、第２の取付けリング３６０の固定ネジ孔３６１と同じである。また、２個の位置決め穴４０２の形状および間隔は、第２の取付けリング３６０の２個の位置決め穴３６２の形状および間隔と同じである。また、固定ネジ孔４０１、４０３および、各２個の位置決め穴４０２、４０４の相互の位置関係は、無線機ケース取付け具３００に無線機ケース２００を取り付けた場合の、固定ネジ孔３４３、３６１および、各２個の位置決め穴３４４、３６２の相互の位置関係と同じである。
【００４４】
これにより、無線機ケース２００は、壁取付け板４００に嵌合し、ネジ５０２および５０１により、固定される。具体的には、無線機ケース２００の固定ネジ用ボス２３１と、壁取付け板４００の固定ネジ孔４０１とが嵌合し、ネジ５０２によって固定される。また、無線機ケース２００の２本の位置決めピン２３２と、壁取付け板４００の２個の位置決め穴４０２とが嵌合する。また、無線機ケース２００の固定ネジ用ボス２１４と、壁取付け板４００の固定ネジ孔４０３とが嵌合し、ネジ５０１によって固定される。また、無線機ケース２００の２本の位置決めピン２１５と、壁取付け板４００の２個の位置決め穴４０４とが嵌合する。
【００４５】
壁取付け板４００は、さらに、壁取付け孔４０５を有し、ネジ５０３により壁に固定される。このようにして、無線機ケース２００は、壁に取り付けられる。つまり、無線機ケース２００が壁へ取り付けられることにより、無線中継機６００としての転用が可能となる。これにより、無線機２１０、無線中継機６００、無線機ケース２００の製作コストを削減することができる。
【産業上の利用可能性】
【００４６】
本発明の無線機ケース取付け具は、無線機をメータから独立させると共に、メータに容易に取り付けることができるため、無線送信が必要な計測器に利用することができる。
【符号の説明】
【００４７】
１００    水道メータ（メータ）
１２０    水道メータ本体
１０４    計量表示部（筒体部）
２００    無線機ケース
２１０    無線機
３４０    第１の取付けリング
３６０    第２の取付けリング
３４３，３６１    固定ネジ孔
３４５，３６４    取付けボルト孔
３４７，３６７    固定ネジ
３００    無線機ケース取付け具
３０１    取付けボルト
【図１】
2010098122.tif 000003
【図２】
2010098122.tif 000004
【図３】
2010098122.tif 000005
【図４】
2010098122.tif 000006
【図５】
2010098122.tif 000007
【図６】
2010098122.tif 000008
【図７】
2010098122.tif 000009
【図８】
2010098122.tif 000010
【図９】
2010098122.tif 000011
【図１０】
2010098122.tif 000012
【図１１】
2010098122.tif 000013
【図１２】
2010098122.tif 000014
【図１３】
2010098122.tif 000015
【図１４】
2010098122.tif 000016
【図１５】
2010098122.tif 000017
【図１６】
2010098122.tif 000018
【国際調査報告】
2010098122.tif 000019
2010098122.tif 000020